(57)【要約】【課題】時間差再生をしている際に、視聴者がチャンネルの切り換え操作を行った場合でも、視聴者が違和感を持つこと無しに、視聴を継続することが出来るようにした映像信号記録再生装置等を提供する。【解決手段】複数の放送信号のチャンネルを選択受信する際に、記録媒体に現在の放送内容を記録しつつ過去に記録した内容を再生する時間差再生であるか否かを判定し、時間差再生でない場合には、ユーザ操作を直ちに受けてチャンネルを変更し、時間差再生である場合には、ユーザにチャンネル変更の可否を確認するメッセージを表出し、ユーザからの許可操作が行われた場合にのみ、チャンネルを変更する。【選択図】      図２
2005318437.tif 000002
【特許請求の範囲】
【請求項１】
複数の放送信号の中から所望のチャンネルを選択受信する選択受信手段と、或るチャンネルから別のチャンネルにチャンネル変更をするチャンネル変更手段と、記録手段に現在の放送内容を記録しつつ過去に記録した内容を再生する時間差再生手段と、該時間差再生手段で時間差再生した放送信号を表示する表示手段とを備えた映像信号記録再生装置において、
ユーザのチャンネル変更操作を受けた際に、現に視聴中の放送信号が前記時間差再生であるか否かを判定する時間差再生判定手段と、
該時間差再生判定手段の判定が時間差再生でない場合には、前記ユーザのチャンネル変更操作を直ちに受けて、前記チャンネル変更手段へチャンネル変更を指示するチャンネル変更指示手段と、
前記時間差再生判定手段の判定が時間差再生である場合には、ユーザにチャンネル変更の可否を確認するメッセージを、表示手段に表出する制御を行うメッセージ表出制御手段とを備え、
該メッセージ表出制御手段による表示手段への表出に対するユーザからの許可操作が行われた場合にのみ、チャンネル変更を実行することを特徴とする映像信号記録再生装置。
【請求項２】
複数の放送信号の中から所望のチャンネルを選択受信する選択受信手段と、或るチャンネルから別のチャンネルにチャンネル変更をするチャンネル変更手段と、記録手段に現在の放送内容を記録しつつ過去に記録した内容を再生する時間差再生手段と、該時間差再生手段で時間差再生した放送信号を表示する表示手段とを備えた映像信号記録再生装置に適用する番組切り換え方法であって、
ユーザのチャンネル変更操作を受けた際に、現に視聴中の放送信号が前記時間差再生であるか否かを判定するステップと、
該ステップの判定が時間差再生でない場合には、前記ユーザのチャンネル変更操作を直ちに受けて、前記チャンネル変更手段へチャンネル変更を指示するステップと、
前記ステップの判定が時間差再生である場合には、ユーザにチャンネル変更の可否を確認するメッセージを、表示手段に表出する制御を行うステップと、
表示手段への表出に対するユーザからの許可操作が行われた場合にのみ、チャンネル変更を実行するステップと
を備えたことを特徴とする映像信号記録再生装置の番組切り換え方法。
【発明の詳細な説明】
【技術分野】
【０００１】
本発明は、映像信号記録再生装置およびその番組切り換え方法に関し、特に、時間差再生をしている際に、ユーザ（視聴者）がチャンネルの切り換え操作を行った場合でも、視聴者が違和感を持つこと無しに、視聴を継続することが出来るようにした映像信号記録再生装置およびその番組切り換え方法に関する。
【背景技術】
【０００２】
近年、テレビジョン番組などの映像信号を記録再生する映像信号記録再生装置として、ハードディスクレコーダや光ディスクレコーダが製品化されている。また、ハードディスクレコーダを内蔵したテレビジョン受像機も製品化されている。
【０００３】
これらは、従来のビデオテープレコーダと異なり、記録しながら既に記録した箇所の再生が可能であるという大きな特徴を有する。そこで、ユーザがテレビジョン番組等を視聴中に、来訪者からの呼び出しの際などの、ユーザの一時的な離席時においては、ユーザの操作により、それまでリアルタイムで視聴していた番組をハードディスク等に記録し始めると共に、ユーザが戻ってきたときには、所定の操作によりそれまで見ていた箇所から再生することで、続きのテレビジョン番組を見ることが出来る機能が提案されている。
【０００４】
この場合、ユーザによる操作時点以降は、ハードディスクには現在受信しているテレビジョン番組の放送信号が記録され続け、一方、離席していた分だけ過去の映像信号が再生されることになり、いわゆる「後追い再生（時間差再生ともいう）」の状態となる。しかし、ユーザは一時停止を行ったものの、最初にリアルタイムで見始めたため、時間差再生で見ているという感覚が無くなり、引き続きリアルタイムで見ているという感じでいる場合が多い。
【０００５】
次に、前述の技術に関連する特許文献について説明する。例えば、特許文献１は、ハードディスクの映像再生中においても、チャンネル切り換え操作がスムーズに行えるようにしたものであり、変更時にはチャンネル変更中であることを画面に表示した後で、そのチャンネルの映像を表示する技術である。
【０００６】
また、特許文献２は、ハードディスクの記録を一時停止できるものであり、その一時停止の間も記録を継続する技術である。
【０００７】
さらに、特許文献３は、チャンネル切り換え時における乱れた映像信号を記録させないようにした技術である。
【特許文献１】特開２００３−１０１９２３号公報
【特許文献２】特開２００２−１５８９６４号公報
【特許文献３】特開２００３−１０１９２３号公報
【発明の開示】
【発明が解決しようとする課題】
【０００８】
ところで、従来のハードディスクを備えた映像信号記録再生装置等では、ユーザが時間差再生で番組を視聴している場合には、この時間差再生を解除しないと、ユーザがチャンネルを変えられないような動作・構成となっている。
【０００９】
しかし、前述のようにユーザが時間差再生をしていること自体を意識していない場合には、当該ユーザは、元の番組を時間差再生で見ているという感覚が無くなり、引き続きリアルタイムで見ているという感じを持っている状態となる場合が多い。
【００１０】
従って、この状況下（時間差再生中）で、もしもユーザがチャンネル変更操作をしたと仮定すると、前述のチャンネルの切り換えが行われない装置仕様の場合は、「何故、チャンネル切り換えが実行できないのか」と、ユーザが不審に思い、違和感を持つという課題があった。
【００１１】
前述の違和感の解消手段として、複数のチューナを有し、複数の番組を同時に処理できる信号処理回路を備えるならば、切り換えられたチャンネルを表示すると共に、時間差再生を行っていたチャンネルも同時に受信して、再度このチャンネルに切り換えられた時に備えて時間差再生用の録画を続けることが可能であるが、複数のチューナを備えると、装置のコストが高くなるという課題があった。
【００１２】
本発明は、上記従来の課題に鑑みてなされたものであって、時間差再生をしている際に、ユーザ（視聴者）がチャンネルの切り換え操作を行った場合でも、視聴者が違和感を持つこと無しに、視聴を継続することが出来るようにした映像信号記録再生装置およびその番組切り換え方法を提供することを目的とする。
【課題を解決するための手段】
【００１３】
上記課題を解決するために、請求項１記載の発明は、複数の放送信号の中から所望のチャンネルを選択受信する選択受信手段（図１のＴＶチューナ１１１、マイコン１３５等）と、或るチャンネルから別のチャンネルにチャンネル変更をするチャンネル変更手段（ＴＶチューナ１１１、マイコン１３５等）と、記録手段（ハードディスク１２２）に現在の放送内容を記録しつつ過去に記録した内容を再生する時間差再生手段（マイコン１３５が実行する）と、該時間差再生手段で時間差再生した放送信号を表示する表示手段（例えば、モニタＴＶ２）とを備えた映像信号記録再生装置において、
ユーザのチャンネル変更操作を受けた際に、現に視聴中の放送信号が時間差再生であるか否かを判定する時間差再生判定手段（時間差再生判定部１４１）と、
該時間差再生判定手段の判定が時間差再生でない場合には、ユーザのチャンネル変更操作を直ちに受けて、チャンネル変更手段（ＴＶチューナ１１１、マイコン１３５等）へチャンネル変更を指示するチャンネル変更指示手段（チャンネル変更指示部１４２）と、
時間差再生判定手段の判定が時間差再生である場合には、ユーザにチャンネル変更の可否を確認するメッセージを、表示手段に表出する制御を行うメッセージ表出制御手段（メッセージ表示制御部１４４）とを備え、
該メッセージ表出制御手段による表示手段への表出に対するユーザからの許可操作が行われた場合にのみ、チャンネル変更を実行する構成としてある。
【００１４】
以上の構成および作用を図示すると、例えば図１、図２に示すようになる。
【００１５】
この構成において、ユーザのチャンネル変更操作を受けた際に、時間差再生判定手段が、現に視聴中の放送信号が時間差再生であるか否かを判定する。
【００１６】
判定結果が時間差再生でない場合には、ユーザのチャンネル変更操作を直ちに受けて、チャンネル変更指示手段が、チャンネル変更を指示する。
【００１７】
また、判定結果が時間差再生である場合には、メッセージ表出制御手段が、ユーザにチャンネル変更の可否を確認するメッセージを、表示手段に表出する制御を行う。
【００１８】
そして、メッセージ表出制御手段による表示手段への表出に対するユーザからの許可操作が行われた場合にのみ、チャンネル変更を実行する。
【００１９】
従って、ユーザは意識していないが、装置としては時間差再生を行っているような場合に、メッセージ表出制御手段が、ユーザにチャンネル変更の可否を確認するメッセージを表出する制御を行うので、ユーザがチャンネル切り換え操作を行っても、ユーザに違和感を与えることなくチャンネル切り換えを行うことができる。
【００２０】
また、請求項２記載の発明は、複数の放送信号の中から所望のチャンネルを選択受信する選択受信手段（図１のＴＶチューナ１１１、マイコン１３５等）と、或るチャンネルから別のチャンネルにチャンネル変更をするチャンネル変更手段（ＴＶチューナ１１１、マイコン１３５等）と、記録手段（ハードディスク１２２）に現在の放送内容を記録しつつ過去に記録した内容を再生する時間差再生手段（マイコン１３５が実施する）と、該時間差再生手段で時間差再生した放送信号を表示する表示手段（例えば、モニタＴＶ２）とを備えた映像信号記録再生装置に適用する番組切り換え方法であって、
ユーザのチャンネル変更操作を受けた際に、現に視聴中の放送信号が時間差再生であるか否かを判定するステップ（図２のステップＳ１）と、
該ステップ（ステップＳ１）の判定が時間差再生でない場合には（ステップＳ１：ＮＯ）、ユーザのチャンネル変更操作を直ちに受けて、チャンネル変更手段（ＴＶチューナ１１１、マイコン１３５等）へチャンネル変更を指示するステップ（ステップＳ８）と、
ステップ（ステップＳ１）の判定が時間差再生である場合には（ステップＳ１：ＹＥＳ）、ユーザにチャンネル変更の可否を確認するメッセージを、表示手段（例えば、モニタＴＶ２）に表出する制御を行うステップ（ステップＳ４）と、
表示手段への表出に対するユーザからの許可操作が行われた場合にのみ（ステップＳ５：ＹＥＳ）、チャンネル変更を実行するステップ（ステップＳ３、ステップＳ８）とを備えた方法としてある。
【００２１】
以上の構成および作用を図示すると、例えば図１、図２に示すようになる。
【００２２】
従って、ユーザは意識していないが、装置としては時間差再生を行っているような場合に、ユーザにチャンネル変更の可否を確認するメッセージを表出するステップ（ステップＳ４）を含むので、ユーザがチャンネル切り換え操作を行っても、ユーザに違和感を与えることなくチャンネル切り換えを行うことができる。
【発明の効果】
【００２３】
請求項１および請求項２記載の発明によれば、ユーザは意識していないが、装置としては時間差再生を行っているような場合に、ユーザがチャンネル切り換え操作を行っても、ユーザに違和感を与えることなくチャンネル切り換えを行うことができる。
【発明を実施するための最良の形態】
【００２４】
以下に説明する実施形態において、時間差再生となる状況として、離席などの際に一時停止を行った場合を挙げて説明する。
【００２５】
本発明は、ハードウェア構成としては、従来の映像信号記録再生装置と同様であり、動作を制御するマイクロプロセッサ（マイコン）のプログラムに特徴がある。
【００２６】
本実施形態の説明を、［１］本実施形態の映像信号記録再生装置の構成説明と、［２］一般的な映像信号記録再生装置の動作説明と、［３］本実施形態に特有の動作説明とに分けて説明する。
【００２７】
［１］本実施形態の映像信号記録再生装置の構成
図１は、本発明を適用する映像信号記録再生装置のハードウェア構成の実施形態を示す図である。
【００２８】
図１に示すように、本実施形態の映像記録再生装置１は、エンコーダ部１１と、エンコーダ部１１の出力信号を入力する記録再生部１２と、記録再生部１２の出力信号を入力するデコーダ部１３と、ユーザの操作に応じて各部の制御を行う制御部１４とを備えてなる。
【００２９】
エンコーダ部１１は、アンテナ出力を取り入れるＴＶチューナ１１１と、受信信号をＡ／Ｄ変換するＡ／Ｄ変換器１１２と、Ａ／Ｄ変換器１１２の出力を受けて符合化するＭＰＥＧ−２エンコーダ１１３と、ＭＰＥＧ−２エンコーダ１１３の出力を一旦記憶するバッファメモリ１１４とを備えている。
【００３０】
記録再生部１２は、バッファメモリ１１４を前段バッファとするハードディスク記録再生装置１２１と、ハードディスク記録再生装置１２１によってデータの読み書きがなされるハードディスク１２２と、ハードディスク１２２の読み書き動作を制御する書き込み読み出し制御装置１２３とを備えている。
【００３１】
デコーダ部１３は、ハードディスク記録再生装置１２１の出力を受けるバッファメモリ１３４と、バッファメモリ１３４に記憶されたデータを復号化するＭＰＥＧ−２デコーダ１３３と、複数の映像信号を多重化処理するＯＳＤ(On Screen Display)１３２と、ＯＳＤ１３２で多重化された映像信号をＤ／Ａ変換するＤ／Ａ変換器１３１とを備えている。制御部１４は、後述する構成要素を制御するマイコン１３５と、外部機器のリモコン信号を受信するリモコンＩ／Ｆ（インタフェース）１３６と、マイコン１３５用の一時記憶用メモリ１３７とを備えている。
【００３２】
なお、デコーダ部１３のＤ／Ａ変換器１３１には、モニタＴＶ２が接続されており、Ｄ／Ａ変換器１３１の出力がモニタＴＶ２に入力されている。このモニタＴＶ２は、映像信号記録再生装置１の構成要素として映像信号記録再生装置１に内蔵することも可能である。
【００３３】
また、デコーダ部１３のリモコンＩ／Ｆ１３６は、外部装置のリモコン３から出力される赤外線信号（設定信号）を受け、この赤外線信号により、映像信号記録再生装置１は、映像信号の記録や再生や時間差再生等が可能に設定される。
【００３４】
マイコン１３５は、ＴＶチューナ１１１と、ＭＰＥＧ−２エンコーダ１１３と、書き込み読み出し制御装置１２３と、ハードディスク記録再生装置と、ＯＳＤ１３２、及びリモコンＩ／Ｆ１３６等と接続されており、これらの構成要素と指令信号を送受信するものであり、ソフトウェアを実行することにより行われる機能を仮想的な機能ブロックとして表わすと、以下の構成を有する。
【００３５】
即ち、マイコン１３５は、リモコン操作判定部１４０と、時間差再生判定部１４１と、チャンネル変更指示部１４２と、視聴番組終了判定部１４３と、メッセージ表示制御部１４４と、ユーザ許可操作判定部１４５と、ユーザ拒否操作判定部１４６と、タイムオーバー判定部１４７と、復帰用情報設定部１４８等を備えている。
【００３６】
リモコン操作判定部１４０は、リモコン３からの各種の操作情報を判定し、判定内容に応じた動作を各構成部へ指示する。
【００３７】
前述の各種操作情報には、装置の起動および停止と、チャンネルの指定および変更と、映像信号の記録および再生と、一時停止と、時間差再生と、スロー再生等の情報を含む。
【００３８】
時間差再生判定部１４１は、現在受信中の映像信号が、時間差再生か否かを判定する。時間差再生と判定した場合には、例えば、時間差再生である旨のフラグを立てておき、一時記憶用メモリ１３７に記憶させておく。
【００３９】
チャンネル変更指示部１４２は、チャンネル変更手段（ＴＶチューナ１１１等）に対してチャンネル変更の実行を指示する。
【００４０】
視聴番組終了判定部１４３は、視聴している番組の受信が終わっているか否かを判定する。視聴している番組の受信中である場合、および受信が終わっている場合には、それぞれフラグを立て、一時記憶用メモリ１３７に記憶させておく。
【００４１】
メッセージ表示制御部１４４は、モニタＴＶ２に、図３に示す画面の表示制御を行う（後述）。
【００４２】
ユーザ許可操作判定部１４５は、ユーザが図３に示された画面を観て、「ＯＫボタン（許可ボタン）」（図示省略）を押下したか否かを判定する（後述）。
【００４３】
ユーザ拒否操作判定部１４６は、ユーザが図３に示された画面を観て、「キャンセルボタン（拒否ボタン）」（図示省略）を押下したか否かを判定する（後述）。
【００４４】
タイムオーバー判定部１４７は、ユーザが、リモコン３を介してチャンネル変更を指示操作したときにタイマー（図示省略）がスタートし、所定時間（例えば、２０秒、１０秒）が経過したときにタイマーがスタートし、所定時間経過した場合には、タイムオーバーである旨を判定する。
【００４５】
復帰用情報設定部１４８は、時間差再生のチャンネル切り換え時点での再生個所の情報、切り換えた時刻の情報、及び時間差再生を行っていたチャンネル等の各種情報（復帰用情報）（後述）を、一時記憶用メモリ１３７やハードディスク１２２に設定する。
【００４６】
［２］一般的な映像信号記録再生装置の動作
次に、本実施形態の一般的な動作について概説する。
【００４７】
先ず、ハードディスク１２２への映像信号の「記録」を説明する。
【００４８】
ユーザによりリモコン３が操作されて、受信するＴＶチャンネル選択用の変調された赤外線信号が発光される。該赤外線信号は、リモコンＩ／Ｆ１３６により受信され、得られた受信チャンネル情報は、マイコン１３５に供給され、リモコン操作判定部１４０において、その内容が解析される。そして、マイコン１３５は、ユーザが選択したＴＶチャンネルにチューナ(１)の受信チャンネルを設定するためコマンドを出力し、このコマンドがＴＶチューナ１１１に供給される。
【００４９】
ＴＶチューナ１１１は、アンテナより入来する放送信号の内、前述の受信チャンネル情報に基づくチャンネルの信号を受信する。受信して得られるビデオ信号は、Ａ/Ｄ変換器１１２に供給されてデジタル信号に変換され、ＭＰＥＧ−２エンコーダ１１３に供給される。
【００５０】
ＭＰＥＧ−２エンコーダ１１３では、供給された信号がＭＰＥＧ−２標準規格に従って圧縮符号化され、その圧縮符号化のされた信号は、バッファメモリ１１４に入力する。入力された信号は、ハードディスク記録再生装置１２１に供給される。
【００５１】
ハードディスク記録再生装置１２１では、供給された信号をハードディスク１２２に記録するためのセクタサイズごとに分割された信号とし、その分割された信号は、書き込み読み出し制御装置１２３に動作制御されるハードディスク１２２に供給され、供給された信号はハードディスク１２２に記録される。
【００５２】
マイコン１３５では、後述する本実施形態特有の動作制御以外に、次の動作を制御する。
【００５３】
即ち、ハードディスク１２２における情報の記録、及び再生をスムーズに行うためのハードディスク管理情報を生成し、生成された管理情報は、一時記憶用メモリ１３７に一時記憶される。一時記憶されたハードディスク管理情報は、適宜ハードディスク記録再生装置１２１を介してハードディスク１２２に記録される。
【００５４】
このようにして、チャンネル選択がなされて受信されたアナログＴＶ放送、デジタルビデオ放送等の映像信号は、圧縮符号化されたビデオ信号として管理情報と共にハードディスク１２２に記録される。
【００５５】
次に、このようにしてハードディスク１２２に記録された映像信号の「再生」について述べる。
【００５６】
リモコン３により再生ボタンが操作されたときは、その操作内容は変調された赤外光線によりリモコンＩ／Ｆ１３６に伝送され、リモコンキーの操作内容は、マイコン１３５に供給される。
【００５７】
マイコン１３５からは、操作内容に応じて生成された制御信号が書き込み読み出し制御装置１２３に供給され、書き込み読み出し制御装置１２３によりハードディスク１２２は制御され、ハードディスク１２２は指定された個所の信号を読み出し、読み出された信号はハードディスク記録再生装置１２１に供給される。
【００５８】
ハードディスク記録再生装置１２１では、ハードディスク１２２より読み出された信号の増幅、特性の補正などが行われ、デジタル信号とされて、バッファメモリ１３４に供給される。
【００５９】
バッファメモリ１３４では、圧縮符号化された信号は一時記憶され、ＭＰＥＧ−２デコーダ１３３からの要求に応じて一時記憶された信号は読み出され、ＭＰＥＧ−２デコーダ１３３に供給される。
【００６０】
ＭＰＥＧ−２デコーダ１３３では、供給された信号はＭＰＥＧ−２標準に従い、エンコーダ１１３で圧縮符号化されたのと相補的な方法によりデコードされ、デコードされて得られたデジタルビデオ信号は、必要に応じてＯＳＤ１３２により表示信号が多重される。表示信号の多重されたデジタル映像信号は、Ｄ／Ａ変換器１３１に供給されてアナログビデオ信号に変換され、変換されたビデオ信号は、モニタＴＶ２に供給されて、表示される。
【００６１】
［３］本実施形態に特有の動作
次に、本実施形態に特有の動作を、図１および図２等を参照しつつ説明する。図２は、映像信号記録再生装置１におけるチャンネル変更操作時の制御動作の例を示す、フローチャートである。
【００６２】
図２に示すフローチャートの動作説明に入る前に、前提条件を説明する。
【００６３】
前述のように、視聴者（ユーザ）が受信するＴＶチャンネルは、リモコン３の操作により選局され、リモコン３からは、チャンネル番号ｆ、再生、記録、一時停止、スロー再生等の指示の情報を表す変調された赤外線信号が発光する。この赤外線信号は、リモコンＩ／Ｆ１３６で受信されてマイコン１３５に入力する。
【００６４】
マイコン１３５では、リモコン操作判定部１４０がこの受信信号の種類（チャンネル番号、再生指示等）を判定する。そして、マイコン１３５は、この受信情報を一時記憶用メモリ１３７に保存しておき、以下に説明する各種の制御の際に、読み出して使用する。
【００６５】
また、ユーザは、リモコン３を介して、既に或るチャンネルを選択し、視聴中であるものとする。
【００６６】
以上の前提条件下において、ユーザによりチャンネル変更操作が行われると、図２に示すように、時間差再生判定部１４１により、現在出力している映像信号が、時間差再生によるものか、または、その続きか否かが判定される（ステップＳ１）。なお、ユーザのチャンネル変更操作により、図示省略のタイマーがスタートする。
【００６７】
時間差再生またはその続きでない場合には（ステップＳ１：ＮＯ）、ステップＳ８に移行し、チャンネル変更指示部１４２が、ユーザ所望のチャンネルに切り換えるチャンネル変更動作を実行する。
【００６８】
時間差再生を行っているか、またはその続きを視聴している場合には（ステップＳ１：ＹＥＳ）、ステップＳ２に移行し、視聴番組終了判定部１４３が、視聴している番組の受信が終わっているか否かを判定する。
【００６９】
ここで、ユーザが番組情報から現在放送中の番組の一覧を見て、その中の一つの番組を指定して視聴を始めた場合で、時間差再生状態となった場合には、その番組の受信が終了したら記録も終了するようにされていると想定する。
【００７０】
この場合、ステップ２において視聴している番組の受信が終わっていることが起こる具体例としては、視聴途中で、例えば一時停止などが行われることにより、時間差再生状態になっていて、この番組の受信が終了し、従って記録も終了した後で、再生だけが行われている状況が該当する。視聴している番組の記録が終わっていた場合には（ステップＳ２：ＹＥＳ）、ステップＳ３において、後述する復帰用情報設定部１４８が「復帰用情報」を設定した後、ステップＳ８に移行し、チャンネル変更を実行する。
【００７１】
ステップＳ２において、視聴している番組の受信が終わっていない場合は（ステップＳ２：ＮＯ）、モニタＴＶ２に、図３に示すメッセージ及び子画面（現在受信している映像）を表示し、「この箇所から以降が記録されず、後で視聴できなくなる旨」を、ユーザに伝える。図３に示す画面の表示制御は、メッセージ表示制御部１４４が行う。
【００７２】
図３の画面を観たユーザが、「ＯＫボタン」（図示省略）を押す等の、許可操作を行った場合には、ステップＳ５においてユーザ許可操作判定部１４５が「ＹＥＳ（許可動作）」と判定し、復帰用情報の設定ステップＳ３へと移る。
【００７３】
もし、ステップＳ５においてユーザ許可操作判定部１４５が「ＹＥＳ」と判定せず（ステップＳ５：ＮＯ）、且つステップＳ６において、ユーザの拒否操作（キャンセルボタン（図示省略）の押下等）が、ユーザ拒否操作判定部１４６により判定された場合には（ステップＳ６：ＹＥＳ）、チャンネル変更はキャンセルされる（ステップＳ９）。
【００７４】
ステップＳ６において、ユーザ拒否操作判定部１４６が拒否操作と判定しない場合には（ステップＳ６：ＮＯ）、ステップＳ７に移行する。ステップＳ７において、タイムオーバー判定部１４７がタイムアウトに達していると判定した場合には（ステップＳ７：ＹＥＳ）、ステップＳ９に移行して、チャンネル変更はキャンセルされる。
【００７５】
ステップＳ６において、拒否操作は行われず（ステップＳ６：ＮＯ）、タイムアウトにも達していない場合には（ステップＳ７：ＮＯ）、ステップＳ５に戻る。
【００７６】
なお、ステップＳ２自体を省略して、ステップＳ1において「ＹＥＳ」の場合には、常にステップＳ４に移ってメッセージ及び子画面（図３参照）を表示することにしてもよい。
【００７７】
次に、このようなチャンネル切り換えが行われた後、さらにチャンネル切り換えを行う場合の例を、図４に示す。
【００７８】
図４においては、６チャンネルを時間差再生で視聴していたとして、４チャンネルに切り換えたとする。このとき、時間差再生機能を持つ映像信号記録再生装置１において、時間差再生のチャンネル切り換え時点での再生個所の情報、切り換えた時刻の情報、及び時間差再生を行っていたチャンネル（この場合では６チャンネルであることの情報）が、装置内の一時記憶用メモリ１３７やハードディスク１２２のような記憶手段に記憶される。これらの各種情報が、先にステップＳ３で設定することとした「復帰用情報」である。この復帰用情報の設定は、復帰用情報設定部１４８が行う。
【００７９】
そして、前述の装置において設定された所定時間内に、再び６チャンネルに切り換えられる操作が行われた場合には、先に記憶した「時間差再生個所の情報」を読み出して、その個所からの再生を開始する。ここでユーザが続きの再生ではなく、６チャンネルのリアルタイムで放送されている内容を見たい場合には、リモコン等において、もう一度６チャンネルを指定するボタンを押すと、時間差再生を中止し、６チャンネルで現在送られている内容を表示する。
【００８０】
チャンネルを切り換えた後、再び６チャンネルに切り換えられたが、所定時間以上を経過していた時には、６チャンネルで放送されているリアルタイムの放送内容を表示する。ここで、ユーザが、やはり先に時間差再生していた内容の続きを見たい場合には、「再生」ボタンを押すことにより、先に記憶した再生個所より再生を始める。
【００８１】
このようにすることの理由は次の通りである。ユーザがチャンネルを切り換えるのは、切り換え後のチャンネルを長時間視聴したい場合だけでなく、スポーツ（例えば、プロ野球）の試合の途中経過を知りたいなど、その時点で放送内容を少し見ることができれば、最初に見ていた番組に復帰して視聴したいことも多い。そこで、ある時間を設定して、ユーザの視聴チャンネル指定が、その時間よりも短い間に元のチャンネルに戻ってきた場合には、後で変えたチャンネルは上記のような一時視聴であるとみなして、先の視聴の続きを見ることができるようにするためである。
【００８２】
図４では、４チャンネルから６チャンネルに再び切り換えられた場合を示しているが、４チャンネルからさらに８チャンネルに切り換えられた後に６チャンネルに切り換えられるといったように、複数のチャンネルを経過して戻ってきた場合においても、所定時間が経過したかどうかで、図４で記したような二通りの異なる動作を行うようにすればよい。
【００８３】
それは、複数のチャンネルを経過してすぐに戻ってくる場合は、チャンネルを切り換えたのは、その時点の他のチャンネルの放送内容を確認したいだけであり、本来は、最初に時間差再生で見ていた番組を見たいといった場合が多いからである。
【００８４】
次に、図２のステップＳ５で「ＹＥＳ」となってチャンネル変更を行う場合には、チャンネルが切り換えられていた時点で放送されている元のチャンネルの内容は記録されないので、時間差再生での再生がその個所に来ると、突然、その間の内容が抜けることになる。
【００８５】
これに対してユーザの混乱を防ぐ方法を、図５（ａ），（ｂ）に基づいて以下に述べる。図５（ａ）は、この切り換え個所の付近を再生するときの表示内容を時間の流れに沿って示した図であり、図５（ｂ）は、その中で表示するメッセージ画面の例である。
【００８６】
チャンネルを切り換えた個所は、ステップＳ３（復帰用情報設定）において記憶されているので、この個所が近づくと、表示していた動画のフェードアウトが始まり、メッセージ画面と切り換わる。メッセージ画面は、図５（ｂ）のように、「ユーザにこの部分の映像が受信できなかったので、表示できない旨」を表すものとする。これを短い期間表示した後、メッセージ画面と入れ替わって番組の続きの部分の映像がフェードインで表示され、続きが見られるようにする。
【００８７】
なお、本実施形態では、時間差再生となる状況として、離席などの際に一時停止を行った場合を挙げて説明した。
【００８８】
しかし、本発明を適用するのに好適な別の場合として、内容をじっくり確認しながらゆっくり視聴したいという要求に答えるために、記録を始めるとともに同時に同番組のスロー再生を始めてゆっくり視聴できるようにするモードを設ける場合がある。
【００８９】
これは、特に視聴者が高齢者であって、音声の速度を「ゆっくり」にして聞きたい場合、音声信号については話速変換の技術も提案されているものの、映像との同期をあわせるのが困難であるため、映像も含めた全体を若干遅く再生するものである。
【００９０】
このような再生法においては、現在の放送を記録していくが、同時に行う再生はスロー再生であるため、スローの速度に応じて次第に記録と再生の時間差が増加していき、その分の内容はハードディスク等に蓄積されていて、視聴用には過去の情報を再生することになる。このような場合においては、ユーザは、受信（記録）と再生（視聴）の時間差を意識せずに視聴することが可能となる。
【産業上の利用可能性】
【００９１】
本発明の映像信号記録再生装置およびその番組切り換え方法は、ハードディスク内蔵テレビジョン受像機や、将来家庭において家庭内ネットワークが構築され、放送視聴の受信や記録を行って適宜ディスプレイ装置に送信する装置としての「ホームサーバー」等に適用するのに好適である。
【図面の簡単な説明】
【００９２】
【図１】本発明を適用する映像信号記録再生装置の実施形態の概略構成図である。
【図２】同実施形態における、チャンネル変更操作時の動作例を示すフローチャートである。
【図３】同実施形態における、時間差再生中にユーザがチャンネル切り換えを行った際に、ユーザへのメッセージ例を示す図である。
【図４】同実施形態における、時間差再生中に、さらに他のチャンネルへの切り換えが行われた場合の動作を説明する図である。
【図５】同実施形態における、複数のチャンネルを経過して元のチャンネルに戻って来た場合に生じる再生中断箇所と、該再生中断箇所に挿入されるメッセージの事例を説明する図である。
【符号の説明】
【００９３】
１  映像信号記録再生装置（本発明の装置）
２  モニタＴＶ（表示部）
３  リモコン（リモートコントローラ）
１１  エンコーダ部
１２  記録再生部
１３  デコーダ部
１４  制御部
１１１  ＴＶチューナ
１１２  Ａ／Ｄ変換器
１１３  ＭＰＥＧ−２エンコーダ
１１４  バッファメモリ
１２１  ハードディスク記録再生装置
１２２  ハードディスク
１２３  書き込み読み出し制御装置
１３１  Ｄ／Ａ変換器
１３２  ＯＳＤ(On Screen Display)
１３３  ＭＰＥＧ−２デコーダ
１３４  バッファメモリ
１３５  マイコン（コンピュータ）
１３６  リモコンＩ／Ｆ（インターフェース）
１３７  一時記憶用メモリ
１４０  リモコン操作判定部
１４１  時間差再生判定部
１４２  チャンネル変更指示部
１４３  視聴番組終了判定部
１４４  メッセージ表示制御部
１４５  ユーザ許可操作判定部
１４６  ユーザ拒否操作判定部
１４７  タイムオーバー判定部
１４８  復帰用情報設定部
【図１】
2005318437.tif 000003
【図２】
2005318437.tif 000004
【図３】
2005318437.tif 000005
【図４】
2005318437.tif 000006
【図５】
2005318437.tif 000007